(57)【要約】      （修正有）【課題】無駄に電力を消費することなく、搭乗時に速やかに連携動作を開始することができる通信システム、制御装置、車両、通信方法およびプログラムを提供する。【解決手段】通信システム１において、車載システムは、車両に搭乗する搭乗者の搭乗状態の変化に関する情報を出力するセンサと、携帯電話機と通信する通信部と、公衆無線通信機能を提供する通信モジュールと、制御部と、を備える。制御部は、センサが出力した情報を参照し、携帯電話機と通信できる状態になったと判断すると、車載システムは、公衆無線通信機能を停止し、携帯電話機との連携動作を開始する。【選択図】図１
2019009721.tif 000002
【特許請求の範囲】
【請求項１】
車両に搭乗する搭乗者の搭乗状態の変化に関する情報を出力するセンサと、
端末装置と通信する通信部と、
制御部と、を備え、
前記制御部は、
前記センサが出力した前記情報を参照して、前記通信部に前記端末装置との通信を開始させる
通信システム。
【請求項２】
サーバと通信する第２の通信部を備え、
前記制御部は、
前記センサが前記搭乗状態の変化を検出したとき、前記第２の通信部による通信を制限し、
前記サーバとの通信を、前記通信部と前記端末装置との通信を介して行う
請求項１に記載の通信システム。
【請求項３】
前記センサが出力する前記情報は、前記車両のドアの開閉状態に基づく情報を含む
請求項１又は請求項２に記載の通信システム。
【請求項４】
前記センサが出力する前記情報は、前記車両の座席に加えられる重量に基づく情報を含む
請求項１から請求項３のいずれか一項に記載の通信システム。
【請求項５】
前記センサが出力する前記情報は、前記車両のキーレスエントリの動作に基づく情報を含む
請求項１から請求項４のいずれか一項に記載の通信システム。
【請求項６】
前記制御部は、
前記端末装置の通信機能を使用するとき、前記端末装置に、前記通信部の通信プロファイルを用いてネットワークにアクセスさせる
請求項１から請求項５のいずれか一項に記載の通信システム。
【請求項７】
自装置が制御するセンサが出力した、車両に搭乗する搭乗者の搭乗状態の変化に関する情報を参照して、
自装置が制御する通信部に、端末装置との通信を開始させる
制御装置。
【請求項８】
請求項１から請求項６のいずれか一項に記載の通信システムを備える車両。
【請求項９】
センサと、制御部と、通信部と、を備える通信システムの通信方法であって、
前記センサが、車両に搭乗する搭乗者の搭乗状態の変化に関する情報を出力するステップと、
前記制御部が、前記センサが出力した前記情報を参照して、前記通信部に端末装置との通信を開始させるステップと、
を有する通信方法。
【請求項１０】
請求項７に記載の制御装置のコンピュータに、
前記センサが出力した、車両に搭乗する搭乗者の搭乗状態の変化に関する情報を参照して、前記通信部に端末装置との通信を開始させる手順
を実行するためのプログラム。
【発明の詳細な説明】
【技術分野】
【０００１】
本発明は、通信システム、制御装置、車両、通信方法およびプログラムに関する。
【背景技術】
【０００２】
無線通信技術の発展により携帯電話機をはじめとする多様な機能を有する端末装置が普及している。また、車両に設置される車載システムにも通信機能を備えたものが普及している。一般に車載システムよりも端末装置の方が製品ライフサイクルが短く、端末装置の通信機能の方が優れていることがある。そこで、従来から車両に設置される通信機器と、ユーザが所持する端末装置との連携動作を行う通信システムが提案されてきた。
【０００３】
例えば、特許文献１には、携帯電話の電話番号をＳＩＭ（Ｓｕｂｓｃｒｉｂｅｒ  Ｉｄｅｎｔｉｔｙ  Ｍｏｄｕｌｅ）カードに記憶させ、携帯電話から送信される携帯情報読出応答信号に含まれる電話番号がＳＩＭカードに記憶される各電話番号のいずれかに一致するとき、携帯情報読出応答信号に含まれる電話番号に対応する携帯電話の電話機能を停止させるとともに、対応携帯電話の電話番号により電話機能を使用可能にする自動車電話装置について記載されている。この自動車電話装置は、ユーザの携帯電話との連携動作を車両のアクセサリスイッチがＯＮになったタイミングで開始し、アクセサリスイッチがＯＦＦになったタイミングでその連携動作を解除する。
【先行技術文献】
【特許文献】
【０００４】
【特許文献１】特開２００４−１９３６４１号公報
【発明の概要】
【発明が解決しようとする課題】
【０００５】
ユーザの搭乗に伴って持ち込まれた端末装置と車両に設置された通信機器との間で、短距離無線通信方式（例えば、ＩＥＥＥ８０２．１５．１、ＩＥＥＥ  ８０２．１１）を用いて無線通信を行って連携動作する場合を仮定する。この場合、通信機器は、連携動作の待ち受け、スキャンなどの動作を行う。そのため、必要なときにだけ連携動作を行うようにしなければ、通信機器はそれらの動作のために無駄に電力を消費してしまう。特許文献１に記載の自動車電話装置と同様の制御を行えば、必要な時にだけ連携動作を行うことが可能にはなるが、この方法では、ユーザが車両に搭乗しても、アクセサリスイッチがＯＮになるまでは連携動作を開始させることができない。
【０００６】
本発明は上記の点に鑑みてなされたものであり、無駄に電力を消費することなく、搭乗時に速やかに連携動作を開始することができる通信システム、制御装置、車両、通信方法およびプログラムを提供する。
【課題を解決するための手段】
【０００７】
本発明は上記の課題を解決するためになされたものであり、本発明の一態様は、車両に搭乗する搭乗者の搭乗状態の変化に関する情報を出力するセンサと、端末装置と通信する通信部と、制御部と、を備え、前記制御部は、前記センサが出力した前記情報を参照して、前記通信部に前記端末装置との通信を開始させる通信システムである。
【発明の効果】
【０００８】
本発明によれば、無駄に電力を消費することなく、ユーザが車両に搭乗したときに速やかに連携動作を開始させることができる。
【図面の簡単な説明】
【０００９】
【図１】第１の実施形態に係る通信システムの構成例を示す概略ブロック図である。
【図２】第１の実施形態に係る携帯電話機のプロファイルの例を示す図である。
【図３】第１の実施形態に係る車載システムのプロファイルの例を示す図である。
【図４】第１の実施形態に係る連携動作開始処理の一例を示すシーケンス図である。
【図５】第２の実施形態に係る連携動作開始処理の一例を示すシーケンス図である。
【図６】第３の実施形態に係る通信システムの構成例を示す概略ブロック図である。
【図７】第３の実施形態に係る連携動作開始処理の一例を示すシーケンス図である。
【発明を実施するための形態】
【００１０】
（第１の実施形態）
まず、本発明の第１の実施形態について、図面を参照しながら説明する。
図１は、本実施形態に係る通信システム１の構成例を示す概略ブロック図である。
通信システム１は、車載システム１０と、携帯電話機２０と、サーバ装置３０と、を備える。
【００１１】
車載システム１０は、車両に設置される機器群であり、所定の公衆無線通信方式（例えば、ＬＴＥ（Ｌｏｎｇ  Ｔｅｒｍ  Ｅｖｏｌｕｔｉｏｎ））を用いて通信機能を提供する通信モジュール１３を含む。車載システム１０は、主に車両に乗車するユーザに対する情報提供、通信などの機能を提供する通信システムとして機能する。車載システム１０の「車載」とは車両に設置されたときの使用に適していることを意味し、車載システム１０の全部又は一部の構成要素の実施を車両に設置されているときの実施に限定することを意味するものではない。車載システム１０が設置される車両は、例えば、四輪自動車などであり、人が搭乗できる空間（車室）を有し、その空間を周囲に対して開放又は閉鎖するドア（出入口）を有する。車載システム１０の動力源は、車両に設置された電動機による発電電力、又は二次電池からの放電電力などである。
【００１２】
車載システム１０は、車両のドアの状態等を検出し、ユーザが車両に搭乗しているか否かを判定する。さらに、ユーザが車両に搭乗していると判定したときに、短距離無線通信方式による通信相手を探索する動作（いわゆるスキャン動作）を行い、ユーザが所持する携帯電話機２０と車載システム１０との短距離無線通信方式等による通信を開始する。車載システム１０と携帯電話機２０とが通信できる状態になったと判断すると、車載システム１０は携帯電話機２０との連携動作を開始する。より具体的には、車載システム１０の公衆無線通信機能を停止し、車載システム１０と携帯電話機２０との通信を用いて、車載システム１０と他の機器との情報の送受信を、携帯電話機２０を介して行うように制御する。車載システム１０と携帯電話機２０との通信ができない状態になったと判断すると、車載システム１０は携帯電話機２０との連携動作を終了する。より具体的には、停止していた車載システム１０の公衆無線通信機能を再開し、車載システム１０と他の機器との情報の送受信を、車載システム１０の公衆無線通信機能を用いて行うように制御する。車載システム１０は、自システムの通信機能の動作状態を変更する際、連携動作が行われているか否かを示す連携動作状態情報をサーバ装置３０に送信してもよい。なお、以降、この連携動作が行われている状態を「連携中」、行われていない状態を「非連携中」と表現する。
【００１３】
携帯電話機２０は、所定の公衆無線通信方式を用いて通信機能を提供する端末装置である。携帯電話機２０は、例えば、多機能携帯電話機（いわゆるスマートフォンを含む）である。車載システム１０との間で連携動作を行うとき、携帯電話機２０は、自機の通信プロファイルを、車載システム１０の通信プロファイルに切り替えてもよい。車載システム１０との連携動作を解除するとき、携帯電話機２０は、車載システム１０の通信プロファイルを自機の通信プロファイルに切り替えてもよい。通信プロファイルとは、加入者の端末装置が公衆無線ネットワークを介した通信に用いるデータである。以下の説明では、通信プロファイルを単にプロファイルと呼ぶ。なお、携帯電話機２０が用いる公衆無線通信方式は、車載システム１０の通信モジュール１３が用いる公衆無線通信方式とは異なる方式であってもよい。例えば、携帯電話機２０がＬＴＥで規定された方式を用いる場合において、通信モジュール１３は、ＩＭＴ２０００（Ｉｎｔｅｒｎａｔｉｏｎａｌ  Ｍｏｂｉｌｅ  Ｔｅｌｅｃｏｍｍｕｎｉｃａｔｉｏｎ  ２０００）で規定された方式を用いてもよい。
【００１４】
サーバ装置３０は、車載システム１０の機能をサポートするために設置されたサーバ装置である。サーバ装置３０は、例えば、車載システム１０の機能の補完、更新（バージョンアップ）、保守（メンテナンス）、ユーザ管理などに用いられる。サーバ装置３０には、予めユーザリストを記憶しておく。ユーザリストは、システム識別情報と端末識別情報を含み、そのシステム識別情報と端末識別情報を関連付けて構成されるデータである。端末識別情報は、個々の携帯電話機２０を示す識別情報である。システム識別情報は、個々の車載システム１０を示す識別情報である。識別情報として、ＩＰ（Ｉｎｔｅｒｎｅｔ  Ｐｒｏｔｏｃｏｌ）アドレスなどのネットワークアドレスを用いてもよいし、機器固有のＭＡＣ（Ｍｅｄｉａ  Ａｃｃｅｓｓ  Ｃｏｎｔｒｏｌ）アドレスなどの物理アドレスを用いてもよい。サーバ装置３０は、例えば、車載システム１０のユーザ登録処理において、システム識別情報と端末識別情報のセットを取得する。サーバ装置３０が車載システム１０に対して能動的に情報を送信（プッシュ）しようとするとき、車載システム１０と携帯電話機２０とが非連携中である場合には、サーバ装置３０は、ユーザリストに含まれるシステム識別情報を参照して車載システム１０に直接情報を送信する。また、車載システム１０と携帯電話機２０とが連携中である場合には、サーバ装置３０は、端末識別情報を参照して携帯電話機２０に情報を送信する。後者の場合、携帯電話機２０は、受信した情報を、連携動作の機能を用いて車載システム１０に転送する。
【００１５】
サーバ装置３０は、車載システム１０からの連携動作状態情報の受信に応じて、車載システム１０の通信機能と車載システム１０に関連付けられた携帯電話機２０の通信機能を制御する。サーバ装置３０は、予め記憶しておいたユーザリストを参照して、連携動作状態情報に付加されたシステム識別情報に対応付けられた端末識別情報を選択する。よって、車載システム１０の通信機能の切替先として携帯電話機２０が特定される。サーバ装置３０は、連携動作状態情報が連携中を示すとき、通信機能の停止を示す通信機能停止要求（通信モジュールＯＦＦ要求）を車載システム１０に送信する。車載システム１０は、サーバ装置３０からの通信機能停止要求の受信に応じて、自システムの通信機能を停止する。
【００１６】
また、サーバ装置３０は、車載システム１０のプロファイルへの切替を示すプロファイル切替要求を携帯電話機２０に送信してもよい。プロファイル切替要求には、端末識別情報など、車載システム１０もしくはその切替先のプロファイルを特定するための識別情報が付加されてもよい。携帯電話機２０は、サーバ装置３０からプロファイル切替要求を受信するとき、予め設定された自機のプロファイルを無効とし、有効なプロファイルを車載システム１０のプロファイルに切り替える。ここで、携帯電話機２０は、プロファイル切替要求に付加された端末識別情報で指示される車載システム１０もしくはプロファイル識別情報で指示されるプロファイルを切替先として特定する。
【００１７】
なお、サーバ装置３０は、非連携中を示す連携動作状態情報を車載システム１０から携帯電話機２０を介して受信するとき、通信機能の開始を示す通信機能開始要求（通信モジュールＯＮ要求）を車載システム１０に携帯電話機２０を介して送信してもよい。車載システム１０は、サーバ装置３０からの通信機能開始要求の受信に応じて、携帯電話機２０の通信機能の使用を解除し、自システムの公衆無線通信機能を開始する。このとき、サーバ装置３０は、携帯電話機２０のプロファイルへの切替を示すプロファイル切替要求を携帯電話機２０に送信してもよい。携帯電話機２０は、サーバ装置３０からプロファイル切替要求を受信するとき、車載システム１０のプロファイルを無効とし、有効なプロファイルを携帯電話機２０のプロファイルに切り替える。
なお、サーバ装置３０は、道路、建造物などの位置や地形分布などを示す地図情報を車載システム１０に送信してもよい。地図情報は、例えば、経路案内などに用いられる。
【００１８】
次に、本実施形態に係る車載システム１０の構成について説明する。
車載システム１０は、制御部１１と、センサ１２と、通信モジュール１３と、Ｉ／Ｆ部１４と、記憶部１５と、ナビゲーション部１６と、を備える。制御部１１、センサ１２、通信モジュール１３、Ｉ／Ｆ（Ｉｎｔｅｒｆａｃｅ）部１４、記憶部１５及びナビゲーション部１６は、相互間で各種のデータを入出力可能に接続される。接続のために、ＣＡＮ（Ｃｏｎｔｒｏｌｌｅｒ  Ａｒｅａ  Ｎｅｔｗｏｒｋ）などの信号線もしくは無線が用いられる。
【００１９】
制御部１１は、車載システム１０の機能を制御する。制御部１１は、例えば、ＣＰＵ（Ｃｅｎｔｒａｌ  Ｐｒｏｃｅｓｓｉｎｇ  Ｕｎｉｔ）などの１つ以上の制御デバイスを含んで構成される。制御部１１は、所定のプログラムに記述された命令で指示された処理を実行することにより、各種の機能を実現する。制御部１１は、例えば、通信モジュール１３を用いて相手先装置と接続し、音声データなどの各種のデータを送受信して通信機能を制御する制御装置（ＥＣＵ：Ｅｌｅｃｔｒｉｃ  Ｃｏｎｔｒｏｌ  Ｕｎｉｔ）として実現されうる。
【００２０】
制御部１１は、搭乗状態判定処理を実行する。搭乗状態判定処理において、制御部１１は、センサ１２から入力される感知信号を用いて車両に設置された各ドアの状態を判定する。感知信号は、例えば、車両に設置された出入口の状態として、その出入口が開放されたか否かを示す信号である。車両には、一般に複数のドアが設置される。制御部１１は、少なくともいずれか１つのドアが開放されたと判定するとき、搭乗状態が変化した可能性があると判断し、連携先となる携帯電話機２０と通信を開始するために、接続確認処理を行う。このタイミングで接続確認処理が行われるので、余計なスキャン動作を行うことなく連携動作を速やかに開始させることができる。
【００２１】
接続確認処理とは、連携先の候補となる端末装置（携帯電話機２０を含む）と所定の第２ネットワーク（例えば、近距離無線ネットワーク）を介して接続可能である否かを確認する処理（以下、接続確認処理）であり、例えばＩＥＥＥ８０２．１５．１通信方式において通信相手を探す処理、いわゆるスキャンなどの動作を含む。そこで、記憶部１５には、連携先の端末装置を示す端末識別情報を含む連携端末データを予め設定しておく。
このとき、連携先の候補となる端末装置においては、必ずしも所定の第２ネットワークが使用可能な状態になっているとは限らない。そこで、制御部１１は、第２ネットワークを介して接続可能であるか否かを確認する処理を行う前に、第１ネットワーク（例えば、公衆無線ネットワーク）を介して、連携先の候補となる端末装置に対して、第２ネットワークを使用可能な状態にする要求を送信する処理を行ってもよい。
【００２２】
接続確認処理を開始する際、制御部１１は、接続確認要求をＩ／Ｆ部１４に出力する。接続確認要求は、連携先の候補となる端末装置（携帯電話機２０を含む）と第２ネットワークを介して接続可能である否かの確認を指示するための信号である。制御部１１は、接続確認要求に対する応答として、Ｉ／Ｆ部１４から接続状態通知を入力する。接続状態通知は、送信元の端末装置との接続の可否を示す応答信号である。
制御部１１は、接続状態通知の送信元の端末装置の端末識別情報が、連携端末データに含まれる端末識別情報のいずれかと合致するとき、その端末装置との連携を許可すると判定する。
【００２３】
その後、制御部１１は、許可すると判定した端末装置である携帯電話機２０の連携動作状態を連携中と判定する。制御部１１は、許可すると判定した端末装置が存在しないとき、端末装置の連携動作状態を非連携中と判定する。
【００２４】
制御部１１は、判定された端末装置の連携動作状態が非連携中から連携中に変化するとき連携開始処理を行う。連携開始処理において、制御部１１は、判定した連携動作状態を示す連携動作状態通知をサーバ装置３０に通信モジュール１３を介して送信する。制御部１１は、連携動作状態通知に対する応答として通信機能停止要求をサーバ装置３０から通信モジュール１３を介して受信する。このとき、制御部１１は、通信モジュール１３に通信機能停止要求を出力して、通信モジュール１３に通信機能を停止させる。その後、制御部１１は、携帯電話機２０との連携動作を開始する。
【００２５】
連携動作において、制御部１１は、車載システム１０の通信機能に係る送信データをＩ／Ｆ部１４を介して携帯電話機２０に出力し、携帯電話機２０に送信させる。制御部１１は、通信機能に係る受信データを携帯電話機２０に受信させ、携帯電話機２０からＩ／Ｆ部１４を介して入力する。
【００２６】
なお、感知信号の入力に応じて判定される端末装置の連携動作状態が連携中から非連携中に変化するとき、連携終了処理を行う。連携終了処理において、制御部１１は、通信モジュール１３に通信機能開始要求を出力し、通信機能を再開させた上で、他の機器との情報の送受信を、Ｉ／Ｆ部１４ではなく、車載システム１０の公衆無線通信機能を用いて行うようにする。より具体的には、制御部１１は、通信機能に係る送信データを通信モジュール１３に送信させ、受信信号を通信モジュール１３に受信させる。さらに、判定した連携動作状態を示す連携動作状態通知を通信モジュール１３を介してサーバ装置３０に送信する。
【００２７】
センサ１２は、車両に設置されたドアの状態を感知するドアセンサを含んで構成されてもよい。ドアセンサは、例えば、圧力センサを含んで構成され、ドア毎に設置される。圧力センサは、ドアの開放端が車体に接する部分にかかる圧力を検出する。センサ１２は、例えば、検出した圧力が所定の圧力の閾値よりも大きいか否かに基づいて各ドアの状態として開放されているか閉鎖されているかを判定し、判定した各ドアの状態を示す感知信号を制御部１１に出力する。
【００２８】
通信モジュール１３は、他の機器との間で第１ネットワークを介した通信機能を提供する。第１ネットワークは、例えば、代表的な無線通信方式であるＬＴＥを用いて実現される公衆無線ネットワークである。
通信モジュール１３は、制御部１１から通信機能停止要求が入力されるとき、通信機能を停止する。他方、通信モジュール１３は、制御部１１から通信機能開始要求が入力されるとき、自機による通信機能を開始する。通信機能を開始するために、通信モジュール１３は、記憶部１５に記憶された自システムのプロファイルを読み出し、読み出したプロファイルを用いて第１ネットワークにアクセスする。
【００２９】
連携動作が行われない場合には、通信モジュール１３は、制御部１１から入力される送信データを相手先装置に第１ネットワークを介して送信する。そして、通信モジュール１３は、相手先装置から第１ネットワークを介して受信した受信データを制御部１１に出力する。
【００３０】
Ｉ／Ｆ部１４は、他の機器との間で第２ネットワークを介した入出力機能を提供する。第２ネットワークは、例えば、代表的な近距離無線通信方式であるＩＥＥＥ８０２．１５．１で規定された方式を用いて実現される近距離無線通信ネットワークである。
入出力機能を実現するために、Ｉ／Ｆ部１４は、接続確認処理を行う。Ｉ／Ｆ部１４は、接続確認処理において接続可と判定した機器を入出力先の機器として検出する。Ｉ／Ｆ部１４は、制御部１１から接続確認要求が入力されるとき、第２ネットワークを介して携帯電話機２０との間で接続確認処理を行う。接続確認処理において、Ｉ／Ｆ部１４は、接続確認信号を携帯電話機２０のＩ／Ｆ部２３に第２ネットワークを介して送信してもよい。Ｉ／Ｆ部１４は、接続確認信号の出力から所定時間内に接続応答信号を受信するとき接続可と判定し、所定時間内に接続応答信号を受信しないとき接続否と判定する。Ｉ／Ｆ部１４は、接続可否を示す接続状態通知を接続確認要求に対する応答として制御部１１に出力する。また、Ｉ／Ｆ部１４は、接続応答信号の受信を示す確認応答信号を携帯電話機２０のＩ／Ｆ部２３に送信する。接続確認処理は、多くの電力を消費するので、必要なときに実行し、必要としないときには実行すべきではない。上述のように、接続確認要求を受信したときに接続確認処理を開始することで、電力消費量の増加を抑えることができる。
なお、接続確認信号及び接続応答信号として、例えば、次の制御信号が利用可能である。接続確認信号がＩＥＥＥ８０２．１５．１に規定の「問合せ」であるとき、接続応答信号は、「問合せ」に対する応答であってもよい。また、接続応答信号は、ＩＥＥＥ８０２．１５．１バージョン４．０に規定のアドバタイジングパケットであってもよい。接続確認信号がＩＥＥＥ８０２．１５．１バージョン４．０の規定のスキャン要求であるとき、接続応答信号は、スキャン応答であってもよい。また、接続応答信号は、ＩＥＥＥ８０２．１１に規定のビーコンであってもよい。接続確認信号がＩＥＥＥ８０２．１１に規定のプローブ要求であるとき、接続応答信号はプローブ応答であってもよい。
【００３１】
なお、携帯電話機２０との連携動作が行われる場合には、Ｉ／Ｆ部１４は、制御部１１から入力される送信データを携帯電話機２０に第２ネットワークを介して送信し、携帯電話機２０は送信データを相手先装置に第１ネットワークを介して送信する。また、携帯電話機２０は、相手先装置から第１ネットワークを介して受信データを受信し、Ｉ／Ｆ部１４は、携帯電話機２０から第２ネットワークを介して受信データを受信し、受信した受信データを制御部１１に出力する。
【００３２】
記憶部１５は、車載システム１０が処理に用いるデータ、車載システム１０が生成したデータを記憶する。記憶部１５は、ＨＤＤ（Ｈａｒｄ  Ｄｉｓｋ  Ｄｒｉｖｅ）、フラッシュメモリ、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＲＯＭ（Ｒｅａｄ  Ｏｎｌｙ  Ｍｅｍｏｒｙ）、またはＲＡＭ（Ｒａｎｄｏｍ  Ａｃｃｅｓｓ  Ｍｅｍｏｒｙ）などの１つ以上の記憶媒体を含んで構成される。記憶部１５の一部に、プロファイルが記憶される。
プロファイルが記憶される記憶媒体は、例えば、図３に示すＳＩＭ（Ｓｕｂｓｃｒｉｂｅｒ  Ｉｄｅｎｔｉｔｙ  Ｍｏｄｕｌｅ）カードである。ＳＩＭカードは、着脱可能とし、予め車載システム１０のプロファイルとして、プロファイル１が記憶されている。ＳＩＭカードに記憶されるプロファイルは、一般に不変である。
【００３３】
一般に、プロファイルには、個々の通信装置（例えば、車載システム１０、携帯電話機２０）を識別するための端末識別情報と個々の加入者を識別するための加入者識別情報（例えば、加入者番号）が含まれる。通信装置は、第１ネットワークのように公衆無線ネットワークに接続する際、端末識別情報と加入者識別情報をそのネットワークを構成する加入者情報管理装置（例えば、ＨＳＳ：Ｈｏｍｅ  Ｓｕｂｓｃｒｉｂｅｒ  Ｓｅｒｖｅｒ、図示せず）に送信する。加入者情報管理装置は、加入者との契約毎の端末識別情報と加入者識別情報とのセットを含む加入者データを保持する。即ち、加入者データは、契約毎のプロファイルを含んで構成される。加入者情報管理装置は、加入者データに含まれる端末識別情報と加入者識別情報のセットのうち、通信装置から受信した端末識別情報と加入者識別情報がそれぞれ合致するセットの有無を判定する。これにより、通信装置からのアクセスが、正規の加入者もしくは端末装置からのアクセスであるか否かが判定される。合致するセットがあるとき、加入者情報管理装置は、送信元の通信装置からそのネットワークへの接続を許可する。そして、送信された端末識別情報が示す通信装置が、ネットワークに接続された他の通信装置からの相手先装置もしくはその候補として認識される。合致するセットがないとき、加入者情報管理装置は、送信元の通信装置からネットワークへの接続を拒否する。上述の「プロファイルを用いてネットワークにアクセス（もしくは通信）」とは、そのプロファイルを用いて接続の許可を要求したうえで、そのネットワークを介した通信を試行もしくは実行することを意味する。
【００３４】
図１に戻り、ナビゲーション部１６は、車両が走行している位置や走行経路を案内する。ナビゲーション部１６は、現時点における車両の位置を示す現在位置情報と目的地の位置を示す目的地情報を取得する。ナビゲーション部１６は、例えば、ＧＰＳ（Ｇｌｏｂａｌ  Ｐｏｓｉｔｉｏｎｉｎｇ  Ｓｙｓｔｅｍ）機能を有し、現在位置情報を取得する。ナビゲーション部１６は、操作入力もしくは音声入力から目的地情報を取得し、地図情報を参照して所定の経路探索処理を行って現在位置から目的地までの経路情報を取得してもよい。ナビゲーション部１６は、現在位置情報、目的地情報及び経路情報を地図情報に重畳して得られる案内情報を表示する。
【００３５】
次に、本実施形態に係る携帯電話機２０の構成について説明する。
携帯電話機２０は、制御部２１と、通信部２２と、Ｉ／Ｆ部２３と、記憶部２４と、を含んで構成される。
制御部２１は、携帯電話機２０の機能を制御する。制御部２１は、例えば、ＣＰＵなどの１つ以上の制御デバイスを含んで構成される。制御部２１は、所定のプログラムに記述された命令で指示された処理を実行することにより、その機能を実現する。制御部１１は、例えば、通信部２２を用いて相手先装置と接続し、音声データなどの各種のデータを送受信して通信機能を実現する。また、制御部２１は、通信制御処理を実行する。
【００３６】
通信制御処理において、制御部２１は、車載システム１０との連携の可否を判定する。制御部２１は、Ｉ／Ｆ部２３から入力される接続状態通知が接続可を示すとき連携可と判定する。制御部２１は、それ以外のとき、連携否と判定する。
【００３７】
連携可と判定した場合、制御部２１は、サーバ装置３０から通信部２２を介して車載システム１０へのプロファイル切替要求を受信するとき、第１ネットワークへのアクセスに用いていた自機のプロファイルを無効とする。このとき、制御部２１は、有効なプロファイルとして記憶部２４に記憶されているプロファイルのうち車載システム１０のプロファイルに切り替え、切り替えたプロファイルを通信部２２に通知する。その後、制御部２１は、通信機能の切替完了を示す切替完了通知をサーバ装置３０に通信部２２を介して送信する。連携否と判定した場合、制御部２１は、プロファイル切替要求の受信の有無に関わらずプロファイルの切替を行わない。
【００３８】
なお、制御部２１は、サーバ装置３０から通信部２２を介して自装置へのプロファイル切替要求を受信するとき、第１ネットワークへのアクセスに用いていた車載システム１０のプロファイルを無効とする。このとき、制御部２１は、有効なプロファイルとして記憶部２４に記憶されているプロファイルのうち自機のプロファイルに切り替え、切り替えたプロファイルを通信部２２に通知する。その後、制御部２１は、プロファイルの切替完了を示す切替完了通知をサーバ装置３０に通信部２２を介して送信する。
【００３９】
通信部２２は、他の機器との間で第１ネットワークを介した通信機能を提供する。通信部２２は、特に指定がない場合には自機のプロファイルを用いて第１ネットワークにアクセスする。但し、制御部２１からプロファイルが通知される場合には、通知されたプロファイルを用いて第１ネットワークにアクセスする。
【００４０】
なお、自機による通信機能を提供する際、通信部２２は、制御部２１から入力される送信データを接続された相手先装置に第１ネットワークを介して送信し、相手先装置から第１ネットワークを介して受信した受信データを制御部２１に出力する。
車載システム１０との連携動作を実行する際、通信部２２は、車載システム１０からＩ／Ｆ部２３を介して制御部２１から入力される送信データを接続された相手先装置に第１ネットワークを介して送信し、相手先装置から第１ネットワークを介して受信した受信データを、制御部２１とＩ／Ｆ部２３を介して車載システム１０に出力する。
【００４１】
Ｉ／Ｆ部２３は、他の機器との間で第２ネットワークを介した入出力機能を提供する。
Ｉ／Ｆ部２３は、車載システム１０のＩ／Ｆ部１４との接続確認処理の際、Ｉ／Ｆ部１４から接続確認信号を受信するとき、その応答として接続応答信号をＩ／Ｆ部１４に送信する。Ｉ／Ｆ部２３は、接続応答信号の送信後、所定時間内にＩ／Ｆ部１４から確認応答信号を受信するとき接続可と判定し、所定時間内に確認応答信号を受信しないとき接続否と判定する。Ｉ／Ｆ部２３は、Ｉ／Ｆ部１４との接続可否を示す接続状態通知を制御部２１に出力する。
【００４２】
記憶部２４は、制御部２１における処理に用いるデータ、制御部２１により生成されるデータを記憶する。記憶部２４は、ＨＤＤ、フラッシュメモリ、ＥＥＰＲＯＭ、ＲＯＭ、またはＲＡＭなどの１つ以上の記憶媒体を含んで構成される。記憶部２４の一部には、プロファイルが記憶される。プロファイルが記憶される記憶媒体は、例えば、図２に示すｅＳＩＭ（ｅｍｂｅｄｄｅｄ  Ｓｕｂｓｃｒｉｂｅｒ  Ｉｄｅｎｔｉｔｙ  Ｍｏｄｕｌｅ）である。ｅＳＩＭは、ｅＵＩＣＣ（ｅｍｂｅｄｄｅｄ  Ｕｎｉｖｅｒｓａｌ  Ｉｎｔｅｇｒａｔｅｄ  Ｃｉｒｃｕｉｔ  Ｃａｒｄ）とも呼ばれる。ｅＵＩＣＣは、着脱可能なタイプと着脱できないタイプがあり、記憶されるプロファイル自体を更新可能とし、記憶されるプロファイルそれぞれの有効性を可変とする記憶媒体である。図２に示す例では、ｅＳＩＭに前述のプロファイル１と携帯電話機２０のプロファイルとしてプロファイル２とが記憶されている。車載システム１０との連携動作が行われる場合には、プロファイル１が有効となり、プロファイル２が無効となる。車載システム１０との連携動作が行われない場合には、プロファイル２が有効となり、プロファイル１が無効となる。
【００４３】
（連携動作開始処理）
次に、本実施形態に係る連携動作開始処理について説明する。
図４は、本実施形態に係る連携動作開始処理の一例を示すシーケンス図である。
（ステップＳ１０１）車載システム１０のセンサ１２は、車両に設置されたドアの状態を感知し、感知したドアの状態を示す感知信号を通信モジュール１３に出力する。その後、ステップＳ１０２の処理に進む。
（ステップＳ１０２）車載システム１０の制御部１１は、センサ１２から入力された感知信号に基づいて、車両に設置されたいずれかのドアが開放されたと判定するとき、接続確認要求をＩ／Ｆ部１４に出力する。車載システムのＩ／Ｆ部１４は、制御部１１からの接続確認要求の入力に応じて、第２ネットワークを介して接続確認処理を行う。ここで、Ｉ／Ｆ部１４は、接続確認信号を携帯電話機２０に第２ネットワークを介して送信してもよい。Ｉ／Ｆ部１４は、携帯電話機２０のＩ／Ｆ部２３が送信する接続応答信号を受信する。接続応答信号は、Ｉ／Ｆ部１４が送信した接続確認信号に対する応答として送信されてもよい。Ｉ／Ｆ部１４は、接続確認要求の入力から所定時間内に接続応答信号を受信するとき、携帯電話機２０のＩ／Ｆ部２３との間で通信接続処理を行い、制御部１１に第２確認応答信号を出力する。制御部１１は、接続確認要求の出力から所定時間内に、Ｉ／Ｆ部１４から確認応答信号が入力されるとき、携帯電話機２０と接続中と判定する。その後、ステップＳ１０３の処理に進む。
【００４４】
（ステップＳ１０３）車載システム１０の制御部１１は、通信モジュール１３から接続中を示す接続状態通知が入力されるとき、携帯電話機２０の連携動作状態を連携中と判定する。その後、ステップＳ１０４の処理に進む。
（ステップＳ１０４）車載システム１０の制御部１１は、連携中を示す連携動作状態通知をサーバ装置３０に通信モジュール１３を介して送信する。その後、ステップＳ１０５の処理に進む。
【００４５】
（ステップＳ１０５）サーバ装置３０は、車載システム１０から受信した連携動作状態通知が連携中を示すとき、ユーザリストを参照して連携動作状態通知に付加されたシステム識別情報に対応する端末識別情報として、携帯電話機２０の端末識別情報を特定する。サーバ装置３０は、通信機能停止要求（通信モジュールＯＦＦ要求）を車載システム１０に送信する。車載システム１０の制御部１１は、通信モジュール１３を介してサーバ装置３０から通信機能停止要求を受信する。その後、ステップＳ１０６の処理に進む。
（ステップＳ１０６）サーバ装置３０は、特定した端末識別情報に係る携帯電話機２０に車載システム１０との連携動作の開始を要求する。サーバ装置３０は、携帯電話機２０に対し、プロファイル切替要求を送信してもよい。携帯電話機２０の制御部２１は、プロファイル切替要求を受信したとき、第２ネットワークにおいて車載システム１０と接続中状態になっているとき、記憶部２４に記憶されているプロファイルのうちプロファイル切替通知で指示される車載システム１０のプロファイルに切り替えてもよい。その後、ステップＳ１０７の処理に進む。
【００４６】
（ステップＳ１０７）車載システム１０と携帯電話機２０とは連携動作を開始する。その後、図４に示す処理を終了する。
【００４７】
（処理順序）
なお、図４の処理は、ステップＳ１０６の処理は、ステップＳ１０５の処理よりも後に開始される場合を例にしたが、ステップＳ１０４よりも後であれば、ステップＳ１０５よりも先に開始されてもよい。
【００４８】
（搭乗状態の判定）
次に、車両への搭乗状態の判定例について説明する。搭乗状態を判定するために、センサ１２が、各ドアの状態を検出するドアセンサを備える場合を例としたが、これには限られない。センサ１２は、さらに車両に備えられる各座席に加えられる重量を検出する重量センサを備えてもよい。制御部１１は、ドアの開放の検出時からの重量の変化量が所定の変化量の閾値（例えば、２０〜３０ｋｇ）よりも大きい状態の継続時間を観測する。制御部１１は、継続時間が所定の継続時間（例えば、５〜１０秒）よりも長いとき、端末装置が搭乗の可能性があると判定し、所定の継続時間以下であるとき、未搭乗と判定してもよい。
【００４９】
また、制御部１１は、いわゆるキーレスエントリシステム（ｋｅｙｌｅｓｓ  ｅｎｔｒｙ  ｓｙｓｔｅｍ）を備えていてもよい。キーレスエントリシステムは、リモートコントローラ（電子鍵）から発信される信号に基づいて車両のドアの施錠又は解錠を行う。リモートコントローラは、キーレスエントリシステムから所定時間（例えば、５秒）間隔で発信される無線標識（ビーコン）を受信したとき、その応答である応答信号を送信する。制御部１１は、ドアの開放の検出時から、リモートコントローラから応答信号を受信する継続時間が所定の継続時間（例えば、１０秒）より長いとき、搭乗の可能性があると判定し、所定の継続時間以下であるとき、未搭乗と判定してもよい。
そして、制御部１１は、搭乗の可能性があると判定する場合、接続確認処理を行い、判定された接続可否に基づいて搭乗状態が搭乗中であるか、未搭乗であるかを確定する。
【００５０】
（優先順位）
上述では、連携先の端末装置が主に１台の携帯電話機２０である場合を例にしたが、連携対象の候補の端末装置の台数は、複数台であってもよい。
そこで、ステップＳ１０２において、車載システム１０の制御部１１は、車両に設置されたいずれかのドアが開放されたと判定するときに、接続確認処理を行うと、複数の端末装置について接続可と判定されることがある。そこで、制御部１１は、複数の端末装置間で予め設定された優先順位のうち、接続可と判定した端末装置のうち最も優先順位が高い端末装置を連携先の端末装置として定めてもよい。そして、制御部１１は、定めた端末装置の端末識別情報を連携動作状態通知に追加してサーバ装置３０に送信する。
各端末装置の優先度を特定する際、制御部１１は、記憶部１５に記憶させておいた連携端末データを参照してもよい。連携端末データは、システム識別情報と複数の連携先の候補とする端末装置の端末識別情報が関連づけられ、各候補の優先順位を示すように構成される。優先順位は、明示的に連携端末データに記述されなくてもよく、端末識別情報の記述順序で特定されてもよい。
【００５１】
複数の端末装置から連携先の端末装置として特定する処理は、車載システム１０の制御部１１に代えてサーバ装置３０が行ってもよい。その前提として、制御部１１は、複数の端末装置の端末識別情報を連携動作状態通知に追加してサーバ装置３０に送信する。サーバ装置３０には、例えば、システム識別情報と複数の連携先の候補する端末識別情報が関連付けられ、各候補の優先順位を示すように構成されたユーザリストを記憶させておく。
サーバ装置３０は、ユーザリストを参照して、連携動作状態通知に追加された端末識別情報で示される端末装置毎の優先順位を特定し、特定した優先順位が最も高い端末装置を連携先の端末装置として特定する。そして、サーバ装置３０は、特定した端末装置にプロファイル切替要求を送信する。
【００５２】
上述では、複数の端末装置間の優先順位を例にしたが、複数のプロファイル間の優先順位に適用されてもよい。プロファイルにより、端末装置とその端末装置が通信で用いる第１ネットワークもしくはその使用条件（例えば、帯域幅、時間帯、時期、料金体系など）が特定される。そのため、１台の端末装置でも使用条件が独立に定められた複数のプロファイルが設定されていることがある。
【００５３】
携帯電話機２０の記憶部２４に車載システム１０のプロファイルとして、複数のプロファイルが設定されている場合には、制御部２１は、複数のプロファイルのうち最も優先順位が高いプロファイルを有効とするプロファイルとして定めてもよい。制御部２１は、例えば、記憶部２４においてプロファイルに関連付けられて記述された優先順位もしくは記述順位により、各プロファイルの優先順位を特定する。
【００５４】
また、制御部１１は、各端末装置もしくはプロファイルの優先順位を特定する際、予め記述された優先順位もしくは記述順位に代え、他の情報に基づいて優先順位を決定してもよい。例えば、制御部１１は、端末装置もしくはプロファイル毎に、動作連携に用いた使用頻度を計数し、計数した使用頻度が高いほど、高くなるように優先順位を定めてもよい。これにより、頻繁に用いられる端末装置もしくはプロファイルほど動作連携に用いられる。
【００５５】
制御部１１は、端末装置もしくはプロファイル毎に、最後に使用された時点からの経過時間を計時し、計時した経過時間が短いほど、高くなるように優先順位を定めてもよい。よって、直近に用いられた端末装置もしくはプロファイルほど優先して動作連携に用いられる。
制御部１１は、プロファイルに記述されたネットワークの使用条件である帯域幅を特定し、特定した帯域幅が広いほど、高くなるように優先順位を定めてもよい。よって、帯域幅が広いネットワークに係るプロファイルの利用が優先される。
制御部１１は、プロファイルに記述されたネットワークの使用条件である料金体系を特定し、特定した料金体系により算出される料金が低いほど、高くなるように優先順位を定めてもよい。これにより、料金が低いネットワークに係るプロファイルの利用が優先される。より具体的には、制御部１１は、特定した料金体系が従量制であるプロファイルには、定額制であるプロファイルよりも高くなるように優先順位を定め、料金体系が従量制であるプロファイルには、従量単価が低いほど、高くなるように優先順位を定めてもよい。従量単価として、例えば、頻度（回数）、使用時間、通信量などが適用されうる。
【００５６】
なお、サーバ装置３０も、上述した制御部１１と同様の手法を採用して、端末装置もしくはプロファイル毎の優先順位を定めてもよい。携帯電話機２０の制御部２１も、上述した制御部１１と同様な手法を用いて、プロファイル毎の優先順位を定めてもよい。
【００５７】
以上に説明したように、本実施形態に係る車載システム１０の制御部１１は、センサ１２が感知したユーザの車両への搭乗状態の変化に基づいて車両における携帯電話機２０の連携動作状態を判定する。制御部１１は、その連携動作状態が連携中と判定するとき、通信モジュール１３の通信機能を停止させ、携帯電話機２０の通信機能を使用可能とする。
この構成により、携帯電話機２０を所持するユーザは、車両への搭乗の際に、車載システム１０に、通信モジュール１３の通信機能に代えて、その携帯電話機２０の通信機能を使用させることができる。そのため、ユーザがアクセサリスイッチの操作、その他の操作を行わなくても、通信モジュール１３との連携動作が可能となる。また、無用な待ち受け、スキャンなど、多くの電力を消費する動作を減らすことができるので、電力消費量を少なくすることができる。
【００５８】
また、制御部１１は、通信モジュール１３と携帯電話機２０との接続可否に応じて、携帯電話機２０の連携動作状態を判定する。
この構成により、乗車したユーザの携帯電話機２０の所持と携帯電話機２０の通信機能の有無を判定することができる。連携動作をより確実に成立することができるので、さらに電力消費量を少なくすることができる。
【００５９】
また、制御部１１は、携帯電話機２０が連携中と判定されるとき、連携動作状態をサーバ装置３０に通知し、サーバ装置３０から通信機能停止要求を受信するとき、通信モジュール１３の通信機能を停止する。
この構成により、サーバ装置３０は、車載システム１０における携帯電話機２０の連携動作状態に応じた通信モジュール１３の通信機能を制御することができる。そのため、サーバ装置３０は、個々の車載システム１０における通信機能の連携動作を管理することができる。
【００６０】
また、制御部１１は、携帯電話機２０の通信機能を使用する時、携帯電話機２０に車載システム１０の通信モジュール１３の通信プロファイルを用いてネットワークにアクセスさせる。
この構成により、連携元の車載システム１０に係る契約に応じた形態でネットワークを使用することができる。また、相手先の機器から携帯電話機２０を意識せず、車載システム１０を通信相手とする通信を、携帯電話機２０の通信機能を用いて実現することができる。
【００６１】
（第２の実施形態）
次に、本発明の第２の実施形態について説明する。上述の実施形態と同一の構成については、同一の符号を付して、その説明を援用する。以下の説明では、主に上述の実施形態との差異点について説明する。
本実施形態に係る通信システム１のハードウェア構成は、第１の実施形態に係る通信システム１のハードウェア構成と同様である。但し、本実施形態では、次の点で第１の実施形態とは異なる。
【００６２】
第１の実施形態では、サーバ装置３０は、車載システム１０と携帯電話機２０とが連携中であるか否かを識別する。これに対し、本実施形態では、サーバ装置３０は、車載システム１０と携帯電話機２０とが連携中であるか否かを識別しない。
第１の実施形態において、サーバ装置３０が、車載システム１０と携帯電話機２０とが連携中であるかを識別する理由の一つは、サーバ装置３０が車載システム１０に対して能動的に情報を送信（プッシュ）するためである。例えば、サーバ装置３０は、車載システム１０と携帯電話機２０とが非連携中である場合には、システム識別情報を参照して車載システム１０に直接情報を送信し、連携中である場合には、端末識別情報を参照して携帯電話機２０に情報を送信する。携帯電話機２０は、サーバ装置３０から受信した情報を、連携動作の機能を用いて車載システム１０に転送する。
【００６３】
これに対し、本実施形態では、サーバ装置３０が車載システム１０に対して能動的に情報を送信（プッシュ）することを可能にするため、以下のような動作を行う。まず、車載システム１０と携帯電話機２０とが非連携中である場合には、車載システム１０は、車載システム１０のシステム識別情報を付加した接続要求信号をサーバ装置３０に第１ネットワークを介して定期的に送信する。車載システム１０と携帯電話機２０とが連携中である場合には、携帯電話機２０が、車載システム１０のシステム識別情報を付加した接続要求信号をサーバ装置３０に第１ネットワークを介して定期的に送信する。いずれの場合も、サーバ装置３０は、受信した接続要求信号に対する応答を直ちに行わずに保留し、最後に受信した最新の接続要求信号を車載システム１０のシステム識別情報と関連付けて保存する。
【００６４】
サーバ装置３０が車載システム１０に対して能動的に情報を送信（プッシュ）しようとするときにおいて、車載システム１０のシステム識別情報と関連付けて保存された接続要求信号に対する接続応答信号を、送信（プッシュ）しようとした情報を付加した上で送信する。
車載システム１０と携帯電話機２０とが非連携中である場合には、車載システム１０は、自身が送信した接続要求信号に対する接続応答信号の一部として、サーバ装置３０が送信した情報を直接受信する。車載システム１０と携帯電話機２０とが連携中である場合には、携帯電話機２０が、自身が送信した接続要求信号に対する接続応答信号の一部として、サーバ装置３０が送信した情報を受信する。携帯電話機２０は、サーバ装置３０から受信した情報を、連携動作の機能を用いて車載システム１０に転送する。このような仕組みにより、サーバ装置３０は、車載システム１０と携帯電話機２０とが連携中であるか否かを認識することなく、車載システム１０に対して情報を送信（プッシュ）することができる。
従って、本実施形態においては、連携動作が開始、または終了したことを、車載システム１０や携帯電話機２０からサーバ装置３０に明示的に通知しなくてもよい。
【００６５】
次に、本実施形態に係る連携動作開始処理について説明する。
図５は、本実施形態に係る連携動作開始処理の一例を示すシーケンス図である。
図５に示す処理は、ステップＳ１０１−Ｓ１０３、Ｓ１０７、Ｓ２０１−Ｓ２０５を有する。車載システム１０は、ステップＳ１０１の処理の前にステップＳ２０１、Ｓ２０２の処理を行う。
【００６６】
（ステップＳ２０１）車載システム１０は、接続要求信号に車載システム１０のシステム識別情報を付加し、これらの情報を付加した接続要求信号をサーバ装置３０に第１ネットワークを介して送信する。その後、ステップＳ２０２の処理に進む。
（ステップＳ２０２）サーバ装置３０は、車載システム１０から受信した接続要求信号と、接続要求信号に付加されたシステム識別情報とを関連づけて記憶する。さらに、車載システム１０に対して能動的に情報を送信（プッシュ）しようとするとき、サーバ装置３０は、車載システム１０から受信した接続要求信号に対する応答として、送信（プッシュ）しようとした情報を付加した上で、車載システム１０に接続応答信号を送信する。
車載システム１０は、サーバ装置３０から接続応答信号を受信したときは、サーバ装置３０が接続応答信号に付加した情報を取り出す。
【００６７】
ステップＳ２０１、Ｓ２０２の処理は、必ずしもステップＳ１０１の処理の直前に行われなくてもよい。ステップＳ２０１の処理を開始する契機は、連携動作を主目的としない別個の処理の一部であってもよい。その契機は、例えば、ナビゲーション部１６の起動時もしくは動作時におけるサーバ装置への接続要求時であってもよい。
ステップＳ２０１、Ｓ２０２における、通信モジュール１３とサーバ装置３０との間の通信では、通信プロトコルとして、例えば、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）や、ＨＴＴＰ（ＨｙｐｅｒＴｅｘｔ  Ｔｒａｎｓｆｅｒ  Ｐｒｏｔｏｃｏｌ）等が利用可能である。
【００６８】
図５に示す例では、ステップＳ１０３において車載システム１０の制御部１１が携帯電話機２０の連携動作状態を連携中と判定した後、ステップＳ２０３の処理に進む。
ステップＳ２０３において、車載システム１０は、携帯電話機２０に対し、連携動作開始要求を送信する。このとき、車載システム１０は、携帯電話機２０に対し、車載システム１０のプロファイルへのプロファイル切替要求を送信してもよい。携帯電話機２０の制御部２１は、プロファイル切替要求を受信したとき、記憶部２４に記憶されているプロファイルのうちプロファイル切替通知で指示される車載システム１０のプロファイルへの切り替えを行ってもよい。その後、ステップＳ１０７の処理に進む。
【００６９】
（ステップＳ１０７）車載システム１０と携帯電話機２０とは連携動作を開始する。その後、ステップＳ２０４の処理に進む。
【００７０】
（ステップＳ２０４）携帯電話機２０は、車載システム１０のシステム識別情報を付加した接続要求信号をサーバ装置３０に第１ネットワークを介して送信する。その後、ステップＳ２０５の処理に進む。
【００７１】
（ステップＳ２０５）サーバ装置３０は、携帯電話機２０から受信した接続要求信号と、接続要求信号に付加されたシステム識別情報とを関連づけて記憶する。さらに、車載システム１０に対して能動的に情報を送信（プッシュ）しようとするときは、サーバ装置３０は、送信（プッシュ）しようとした情報を付加した上で、携帯電話機２０から受信した接続要求信号に対する接続応答信号を送信する。
携帯電話機２０は、サーバ装置３０から接続応答信号を受信したときは、サーバ装置３０が接続応答信号に付加した情報を取り出して、連携動作の機能を用いて取り出した情報を車載システム１０に転送する。
【００７２】
なお、本実施形態では、図５に示す処理のうち、ステップＳ２０１、Ｓ２０２の処理を行わずに、ステップＳ１０１の処理が開始されてもよい。
【００７３】
以上に説明したように、本実施形態に係る車載システム１０においては、サーバ装置３０は、車載システム１０と携帯電話機２０との連携動作状態を認識することなく、車載システム１０に対して能動的に情報を送信（プッシュ）することができる。
この構成により、サーバ装置３０に連携動作状態を通知することなく、車載システム１０が自律的に携帯電話機２０との連携動作を開始することができる。
【００７４】
（第３の実施形態）
次に、本発明の第３の実施形態について説明する。上述の実施形態と同一の構成については、同一の符号を付して、その説明を援用する。以下の説明では、主に上述の実施形態との差異点について説明する。
【００７５】
図６は、本実施形態に係る通信システム１の構成例を示す概略ブロック図である。
通信システム１は、車載システム１０、携帯電話機２０及びサーバ装置３０の他、情報管理装置４０をさらに備える。
【００７６】
車載システム１０の制御部１１は、連携動作状態判定処理により、携帯電話機２０の連携動作状態を連携中と判定した後、プロファイル変更要求を情報管理装置４０に通信モジュール１３を介して送信する。プロファイル変更要求は、動作連携の連携先の携帯電話機２０において、使用中のプロファイルから連携元である自システムのプロファイルへの変更を示す制御信号である。
【００７７】
情報管理装置４０は、第１ネットワークのコアネットワークの構成機器であり、加入者データを保持する加入者情報管理装置である。本実施形態では、加入者データは、個々の契約毎に、プロファイル識別情報と、そのプロファイル識別情報で識別されるプロファイルのセットを含んで構成される。個々のプロファイルは、端末識別情報と加入者識別情報のセットを有する。
【００７８】
情報管理装置４０は、車載システム１０からプロファイル変更要求を受信するとき、プロファイル変更要求で指示される連携元の車載システム１０のプロファイルを、加入者データから読み出す。情報管理装置４０は、読み出したプロファイルをプロファイル変更要求で指示される連携先の携帯電話機２０に送信する。
【００７９】
携帯電話機２０の制御部２１は、情報管理装置４０から通信部２２を介してプロファイルを受信し、受信したプロファイルを記憶部２４に記憶する。制御部２１は、記憶されたプロファイルのうち、受信したプロファイルの有効性を有効とし、その他のプロファイルの有効性を無効とする。携帯電話機２０の制御部２１は、接続確認処理において車載システム１０の通信モジュール１３と接続可と判定された後、有効なプロファイルを、通信部２２に通知する。その後、制御部２１は、プロファイルの切替完了を示す切替完了通知をサーバ装置３０に通信部２２を介して送信する。その後、制御部２１は、車載システム１０との連携動作を開始する。
【００８０】
次に、本実施形態に係る連携動作開始処理について説明する。
図７は、本実施形態に係る連携動作開始処理の一例を示すシーケンス図である。
図７に示す処理は、ステップＳ１０１−Ｓ１０７、Ｓ３０１、Ｓ３０２を有する。
ステップＳ１０３の処理において、制御部１１が携帯電話機２０の連携動作状態を連携中と判定した後、ステップＳ３０１の処理に進む。ステップＳ３０１の処理を実行するタイミングは、ステップＳ１０３の処理の後であれば、ステップＳ１０４の処理の前であっても、後であってもよい。
【００８１】
（ステップＳ３０１）車載システム１０の制御部１１は、携帯電話機２０のプロファイルを自システムのプロファイルに変更させることを示すプロファイル変更要求を、情報管理装置４０に通信モジュール１３を介して送信する。その後、ステップＳ３０２の処理に進む。また、制御部１１は、サーバ装置３０からの通信機能停止要求（通信モジュールＯＦＦ要求）の受信後に、ステップＳ１０７の処理に進む。
【００８２】
（ステップＳ３０２）情報管理装置４０は、予め記憶している加入者データから、車載システム１０の制御部１１からプロファイル変更要求で指定される車載システム１０のプロファイルを読み出す。情報管理装置４０は、読み出したプロファイルをプロファイル変更要求で指定される連携先の携帯電話機２０に送信する。携帯電話機２０の制御部２１は、通信部２２を介して情報管理装置４０から連携元の車載システム１０のプロファイルを受信し、記憶部２４に有効なプロファイルとして記憶し、記憶部２４に記憶されたその他のプロファイルを無効とする。さらに、制御部２１は、有効なプロファイルを、通信部２２に通知し、通知したプロファイルによる第１ネットワークへのアクセスを可能とする。
【００８３】
その後、ステップＳ１０６の処理において、サーバ装置３０から連携動作開始要求を受信した後、ステップＳ１０７の処理に進む。
ステップＳ１０７では、車載システム１０と携帯電話機２０は連携動作を開始する。その後、図７に示す処理を終了する。
【００８４】
図７の処理は、図４に示す処理と同様に、車載システム１０がサーバ装置３０に連携動作状態通知を送信し（ステップＳ１０４）、その後、サーバ装置３０が車載システム１０に通信機能停止要求を送信する場合（通信モジュールＯＦＦ要求、ステップＳ１０５）を例にする。上述のステップＳ３０１、Ｓ３０２の処理は、図５に示す例と同様に、車載システム１０が携帯電話機２０に連携動作開始要求を送信する場合（ステップＳ２０３）には、その送信の直前もしくは直後に実行されてもよい。これにより、通知したプロファイルによる第１ネットワークへのアクセスが可能になる。
【００８５】
以上に説明したように、本実施形態に係る車載システム１０において、制御部１１は、車載システム１０への通信プロファイルへの切替要求を、携帯電話機２０と接続されるネットワークの情報管理装置４０に送信し、携帯電話機２０にその通信プロファイルを提供させる。
この構成により、携帯電話機２０の記憶部２４に予め車載システム１０の通信プロファイルを記憶させておかなくても、その通信プロファイルを用いたアクセスを実現することができる。車載システム１０の通信プロファイルを設定するための記憶媒体の着脱、その他の作業を必要としないので、携帯電話機２０との動作連携の利便性が高くなる。
【００８６】
以上、この発明の実施形態について詳しく説明してきたが、具体的な構成は上述のものに限られることはなく、この発明の要旨を逸脱しない範囲内において様々な設計変更等をすることが可能である。
【００８７】
第２、第３の実施形態において、制御部１１は、重量センサ、キーレスエントリシステムの一方又は両方を用いて連携動作状態の判定を行ってもよい。
また、複数の端末装置から、それぞれの優先順位を定める処理、優先順位に基づいて１台の連携先の端末装置を定める処理の一方又は両方は、第２、第３の実施形態に適用されてもよい。
なお、複数のプロファイルから、それぞれの優先順位を定める処理、優先順位に基づいて有効とする１つのプロファイルを定める処理の一方又は両方は、第２、第３の実施形態に適用されてもよい。
【００８８】
上述では、端末装置が主に携帯電話機２０である場合を例にしたが、これには限られない。端末装置は、タブレット端末装置、パーソナルコンピュータ（ＰＣ：Ｐｅｒｓｏｎａｌ  Ｃｏｍｐｕｔｅｒ）などの電子機器であってもよい。
【００８９】
また、車載システム１０の構成要素である制御部１１、センサ１２、通信モジュール１３、Ｉ／Ｆ部１４、記憶部１５及びナビゲーション部１６は、それぞれ各１個の装置として構成されてもよいし、それら各部の全てを備える１個の装置として構成されてもよい。また、それら各部の任意の組み合わせ毎に各１個の装置として構成されてもよい。例えば、制御部１１は、通信モジュール１３、Ｉ／Ｆ部１４及び記憶部１５と一体化して単一の制御装置として構成されてもよい。その制御装置は、センサ１２とナビゲーション部１６とは別体であってもよい。
【００９０】
上述した実施形態は、次の態様でも実施することができる。
（１）車両に搭乗する搭乗者の搭乗状態の変化に関する情報を出力するセンサと、端末装置と通信する通信部と、制御部と、を備え、前記制御部は、前記センサが出力した前記情報を参照して、前記通信部に前記端末装置との通信を開始させる通信システム。
【００９１】
（２）サーバと通信する第２の通信部を備え、前記制御部は、前記センサが前記搭乗状態の変化を検出したとき、前記第２の通信部による通信を制限し、前記サーバとの通信を、前記通信部と前記端末装置との通信を介して行う（１）の通信システム。
【００９２】
（３）前記センサが出力する前記情報は、前記車両のドアの開閉状態に基づく情報を含む（１）又は（２）の通信システム。
【００９３】
（４）前記センサが出力する前記情報は、前記車両の座席に加えられる重量に基づく情報を含む（１）から（３）のいずれかの通信システム。
【００９４】
（５）前記センサが出力する前記情報は、前記車両のキーレスエントリの動作に基づく情報を含む（１）から（４）の通信システム。
【００９５】
（６）前記制御部は、前記端末装置の通信機能を使用するとき、前記端末装置に、前記通信部の通信プロファイルを用いてネットワークにアクセスさせる（１）から（５）のいずれかの通信システム。
【００９６】
（７）自装置が制御するセンサが出力した、車両に搭乗する搭乗者の搭乗状態の変化に関する情報を参照して、自装置が制御する通信部に、端末装置との通信を開始させる制御装置。
【００９７】
（８）（１）から（６）のいずれかの通信システムを備える車両。
【００９８】
（９）センサと、制御部と、通信部と、を備える通信システムの通信方法であって、前記センサが、車両に搭乗する搭乗者の搭乗状態の変化に関する情報を出力するステップと、前記制御部が、前記センサが出力した前記情報を参照して、前記通信部に端末装置との通信を開始させるステップと、を有する通信方法。
【００９９】
（１０）（７）の制御装置のコンピュータに、前記センサが出力した車両に搭乗する搭乗者の搭乗状態の変化に関する情報を参照して、前記通信部に端末装置との通信を開始させる手順を実行するためのプログラム。
【０１００】
なお、上述した実施形態における車載システム１０、携帯電話機２０、サーバ装置３０ならびに情報管理装置４０の一部、例えば、制御部１１、２１もしくは全部をコンピュータで実現するようにしてもよい。その場合、この制御機能を実現するためのプログラムをコンピュータ読み取り可能な記録媒体に記録して、この記録媒体に記録されたプログラムをコンピュータシステムに読み込ませ、実行することによって実現してもよい。
【０１０１】
なお、ここでいう「コンピュータシステム」とは、車載システム１０、携帯電話機２０、サーバ装置３０ならびに情報管理装置４０に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１０２】
さらに「コンピュータ読み取り可能な記録媒体」とは、インターネット等のネットワークや電話回線等の通信回線を介してプログラムを送信する場合の通信回線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであっても良く、さらに前述した機能をコンピュータシステムにすでに記録されているプログラムとの組み合わせで実現できるものであってもよい。
【０１０３】
また、上述した実施形態における車載システム１０、携帯電話機２０、サーバ装置３０ならびに情報管理装置４０の一部もしくは全部を、ＬＳＩ（Ｌａｒｇｅ  Ｓｃａｌｅ  Ｉｎｔｅｇｒａｔｉｏｎ）等の集積回路として実現してもよい。車載システム１０、携帯電話機２０、サーバ装置３０ならびに情報管理装置４０の各機能ブロックは個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【符号の説明】
【０１０４】
１…通信システム、１０…車載システム、１１…制御部、１２…センサ、１３…通信モジュール、１４…Ｉ／Ｆ部、１５…記憶部、１６…ナビゲーション部、２０…携帯電話機、２１…制御部、２２…通信部、２３…Ｉ／Ｆ部、２４…記憶部、３０…サーバ装置、４０…情報管理装置
【図１】
2019009721.tif 000003
【図２】
2019009721.tif 000004
【図３】
2019009721.tif 000005
【図４】
2019009721.tif 000006
【図５】
2019009721.tif 000007
【図６】
2019009721.tif 000008
【図７】
2019009721.tif 000009